(57)【要約】  制御手段２５は、被加熱物に設定電力を投入する加熱動作中において、負荷判別手段２６の判別結果に基づき、上方に被加熱物が載置された加熱コイル２２へ設定電力に応じた電力を出力するようにインバーター回路９を制御し、設定電力に応じた電力を出力する加熱コイル２２の上方に、被加熱物が載置されなくなった場合、当該加熱コイル２２へ設定電力以下の所定の電力を出力するように、インバーター回路９を制御する。
2012111244.tif 000002
【特許請求の範囲】
【請求項１】
複数の加熱コイルと、
前記加熱コイルに高周波電流を供給する複数のインバーター回路と、
前記各インバーター回路の出力電流を検出する出力電流検出手段と、
前記各インバーター回路の入力電力または出力電力を検出する電力検出手段と、
前記各インバーター回路を個別に駆動制御する制御手段と、
駆動中の前記インバーター回路の、前記出力電流と前記入力電力または出力電力とに基づいて、前記加熱コイルの上方に被加熱物が載置されているか否かの負荷判別をする負荷判別手段と
を備え、
前記制御手段は、
被加熱物に設定電力を投入する加熱動作中において、
前記負荷判別手段の判別結果に基づき、上方に被加熱物が載置されている前記加熱コイルへ前記設定電力に応じた電力を出力するように前記インバーター回路を制御し、
前記設定電力に応じた電力を出力する前記加熱コイルの上方に、前記被加熱物が載置されなくなった場合、当該加熱コイルへ前記設定電力以下の所定の電力を出力するように、前記インバーター回路を制御する
ことを特徴とする誘導加熱調理器。
【請求項２】
前記制御手段は、
被加熱物に設定電力を投入する加熱動作中において、
前記負荷判別手段の判別結果に基づき、上方に被加熱物が載置されていない前記加熱コイルへ前記設定電力以下の所定の電力を出力するように前記インバーター回路を制御し、
前記所定の電力を出力する前記加熱コイルの上方に、前記被加熱物が載置された場合、当該加熱コイルへ前記設定電力に応じた電力を出力するように前記インバーター回路を制御する
ことを特徴とする請求項１記載の誘導加熱調理器。
【請求項３】
前記負荷判別手段は、
駆動中の前記インバーター回路の、前記出力電流と前記入力電力または出力電力との相関に基づいて、前記加熱コイルの上方に載置された被加熱物が、誘導加熱に適さない不適正負荷であるか否かの負荷判別をし、
前記制御手段は、
前記負荷判別手段の判別結果に基づき、上方に不適正負荷が載置されている前記加熱コイルの前記インバーター回路の駆動を停止させる
ことを特徴とする請求項１または２記載の誘導加熱調理器。
【請求項４】
前記所定の電力は、前記インバーター回路が出力可能な電力の下限値である
ことを特徴とする請求項１〜３の何れか１項に記載の誘導加熱調理器。
【請求項５】
前記各インバーター回路の入力電流を検出する入力電流検出手段を備え、
前記負荷判別手段は、
前記電力検出手段により検出された入力電力または出力電力に代えて、前記入力電流検出手段により検出された入力電流を用いて前記負荷判別を行う
ことを特徴とする請求項１〜４の何れか１項に記載の誘導加熱調理器。
【請求項６】
前記インバーター回路は、
２つのスイッチング素子を直列に接続したアームを少なくとも２つ有し、フルブリッジ型インバーター回路を構成し、
前記制御手段は、
前記２つのアームの相互間の前記スイッチング素子の駆動位相差を可変することで、当該インバーター回路が出力する電力を制御する
ことを特徴とする請求項１〜５の何れか１項に記載の誘導加熱調理器。
【請求項７】
前記インバーター回路は、
２つのスイッチング素子を直列に接続し、ハーフブリッジ型インバーター回路を構成し、
前記制御手段は、
前記スイッチング素子の通電比率を可変することで、当該インバーター回路が出力する電力を制御する
ことを特徴とする請求項１〜５の何れか１項に記載の誘導加熱調理器。
【請求項８】
前記複数の加熱コイルの上方に配置された天板を備え、
前記複数の加熱コイルは、
前記天板に設けられた加熱口の中央部に配置した中心加熱コイルと、その横方向と奥行き方向にそれぞれ複数配置した周辺加熱コイルとから構成される
ことを特徴とする請求項１〜７の何れか１項に記載の誘導加熱調理器。
【請求項９】
前記複数の加熱コイルの上方に配置された天板を備え、
前記複数の加熱コイルは、
前記天板に設けられた加熱口の中央部に配置した中心加熱コイルと、その周囲の周方向に複数配置した周辺加熱コイルとから構成される
ことを特徴とする請求項１〜７の何れか１項に記載の誘導加熱調理器。
【請求項１０】
前記複数の加熱コイルの上方に配置された天板を備え、
前記複数の加熱コイルは、
前記天板に設けられた加熱口の中央部に配置した内側加熱コイルと、その周囲を取り囲むように巻回した外側加熱コイルとから構成される
ことを特徴とする請求項１〜７の何れか１項に記載の誘導加熱調理器。
【発明の詳細な説明】
【技術分野】
【０００１】
本発明は、複数の加熱コイルを備える誘導加熱調理器に関するものである。
【背景技術】
【０００２】
従来の誘導加熱調理器においては、例えば、「前記天板に被加熱物が載置されたことを検出する負荷検出手段を備え、前記負荷検出手段は、前記加熱コイルの上方に被加熱物が載置されたことを前記加熱コイル毎に検出し、前記回路は、上方に被加熱物が載置されたことを前記負荷検出手段が検出した加熱コイルのみに高周波電流を供給する」ものが提案されている（例えば、特許文献１参照）。
【先行技術文献】
【特許文献】
【０００３】
【特許文献１】特開２００８−２９３８７１号公報（請求項２）
【発明の概要】
【発明が解決しようとする課題】
【０００４】
上記特許文献１の技術では、被加熱物を検出した加熱コイルのみに高周波電流を供給することにより、鍋のサイズや載置位置による加熱効率の低下や漏れ磁束の増大を抑制することができる。
しかし、負荷検出して加熱を開始した後の加熱動作中に、被加熱物が載置されている位置がずらされて、高周波電流が供給されている加熱コイルの上方に被加熱物がなくなった場合には、その加熱コイルに流れる電流は被加熱物の加熱に働かず、損失となって加熱効率を低下させるとともに、漏洩磁束を増加させる、という問題点があった。
また、被加熱物が載置されている位置がずらされて、高周波電流が供給されていない加熱コイルの上方に移動した被加熱物の部分は加熱されず、加熱むらが大きくなる、という問題点があった。【０００５】
本発明は、上記のような課題を解決するためになされたもので、加熱動作中に被加熱物を移動させた場合に、加熱効率の低下や漏洩磁束の増大を抑制することができる誘導加熱調理器を得るものである。
また、加熱開始後に被加熱物を移動させた場合に、加熱むらの発生を軽減することができる誘導加熱調理器を得るものである。
【課題を解決するための手段】
【０００６】
本発明に係る誘導加熱調理器は、複数の加熱コイルと、前記加熱コイルに高周波電流を供給する複数のインバーター回路と、前記各インバーター回路の出力電流を検出する出力電流検出手段と、前記各インバーター回路の入力電力または出力電力を検出する電力検出手段と、前記各インバーター回路を個別に駆動制御する制御手段と、駆動中の前記インバーター回路の、前記出力電流と前記入力電力または出力電力とに基づいて、前記加熱コイルの上方に被加熱物が載置されているか否かの負荷判別をする負荷判別手段とを備え、前記制御手段は、被加熱物に設定電力を投入する加熱動作中において、前記負荷判別手段の判別結果に基づき、上方に被加熱物が載置されている前記加熱コイルへ前記設定電力に応じた電力を出力するように前記インバーター回路を制御し、前記設定電力に応じた電力を出力する前記加熱コイルの上方に、前記被加熱物が載置されなくなった場合、当該加熱コイルへ前記設定電力以下の所定の電力を出力するように、前記インバーター回路を制御するものである。
【発明の効果】
【０００７】
本発明は、加熱コイルの上方に被加熱物が載置されなくなった場合、当該加熱コイルへ設定電力以下の所定の電力を出力する。このため、加熱動作中に被加熱物を移動させた場合に、加熱効率の低下や漏洩磁束の増大を抑制することができる。
【図面の簡単な説明】
【０００８】
【図１】実施の形態１に係る誘導加熱調理器の構成を示す図である。
【図２】実施の形態１に係る誘導加熱調理器の回路構成を示す図である。
【図３】実施の形態１に係る誘導加熱調理器のインバーター回路の駆動信号と出力電圧波形の例を示す図である。
【図４】実施の形態１に係る誘導加熱調理器のインバーター回路の駆動信号と出力電圧波形の例を示す図である。
【図５】実施の形態１に係る誘導加熱調理器の加熱コイルと被加熱負荷（鍋）との位置関係の例を示す図である。
【図６】実施の形態１に係る誘導加熱調理器の加熱開始時における加熱可否判別条件の例を示す図である。
【図７】実施の形態１に係る誘導加熱調理器の負荷状態とインバーター回路の駆動信号制御範囲を示す図である。
【図８】実施の形態１に係る誘導加熱調理器の加熱動作中における負荷状態の判別条件を示す図である。
【図９】実施の形態１に係る誘導加熱調理器の駆動信号制限状態における被加熱負荷の検出条件の例を示す図である。
【図１０】実施の形態１に係る誘導加熱調理器の制御手段における加熱制御処理を示すフローチャートである。
【図１１】実施の形態１に係る誘導加熱調理器の制御手段における初期負荷判別処理を示すフローチャートである。
【図１２】実施の形態１に係る誘導加熱調理器の制御手段における周辺加熱コイルｎ用インバーター回路の出力制御処理を示すフローチャートである。
【図１３】実施の形態２に係る誘導加熱調理器の回路構成を示す図である。
【図１４】実施の形態２に係る誘導加熱調理器のインバーター回路の駆動信号例を示す図である。
【図１５】実施の形態２に係る誘導加熱調理器の制御手段における加熱制御処理を示すフローチャートである。
【図１６】実施の形態２に係る誘導加熱調理器の制御手段における周辺加熱コイルｎ用インバーター回路の出力制御処理を示すフローチャートである。
【図１７】加熱口中心部に配置した内側加熱コイルと、その周囲に複数配置した周辺加熱コイルから構成される加熱コイル例を示す図である。
【図１８】加熱口中心部に配置した内側加熱コイルと、その周囲を取り囲むように巻回した外側加熱コイルから構成される加熱コイル例を示す図である。
【発明を実施するための形態】
【０００９】
実施の形態１．
（構成）
図１は、実施の形態１に係る誘導加熱調理器の構成を示す図である。
図１において、１０１は天板、１０２は本体筐体、１０３は高周波電流を供給する回路、１０４は操作部、１０５は表示手段、２２は加熱コイルである。
天板１０１は、鍋などの被加熱物を載置するためのものであり、鍋の載置位置を表示する加熱口１０６が設けられている。本体筐体１０２の内部には、回路１０３、表示手段１０５、加熱コイル２２が収納されており、その上面に天板１０１を被せ、本体筐体１０２の内部構造を収納する。
回路１０３は、後述の図２で説明する構成を有しており、加熱コイル２２に高周波電流を供給する。
操作部１０４は、ユーザが加熱出力を調整するためのものである。
表示手段１０５は、液晶表示デバイス等で構成された画面表示装置で、誘導加熱調理器の動作状態を表示する。
加熱コイル２２は、加熱口ごとに奥行き方向と横方向それぞれに、複数個並ぶように配置されている。
【００１０】
図２は、実施の形態１に係る誘導加熱調理器の回路構成を示す図である。
誘導加熱調理器は、交流電源１に接続されており、交流電源１から供給される電力は直流電源回路２で直流電力に変換される。
直流電源回路２は、交流電力を整流する整流ダイオードブリッジ３と、各インバーター回路９ごとに設けられたリアクトル４および平滑コンデンサ５とにより構成されている。そして各インバーター回路９へ入力される入力電力は、入力電圧検出手段７と各インバーター回路９ごとに設けられた入力電流検出手段６とによって検出される。直流電源回路２で直流電力に変換された電力は、各インバーター回路９−１〜９−ｎに供給される。
なお、入力電流検出手段６と入力電圧検出手段７とにより、本発明の「電力検出手段」を構成する。
【００１１】
直流電源回路２には、複数のインバーター回路９−１〜９−ｎが接続されている。各インバーター回路９−１〜９−ｎはそれぞれ同一の構成である。以下、区別しないときはインバーター回路９と称する。このインバーター回路９は、加熱コイル２２の数に応じて設けられている。
インバーター回路９は、それぞれ同一の直流電源回路２の正負母線間に直列に接続された２つのスイッチング素子（ＩＧＢＴ）と、そのスイッチング素子とそれぞれ逆並列に接続されたダイオードとによって形成されるアーム２組（以下、２組のアームを、Ｕ相アーム１０とＶ相アーム１１と称する。また、各アームの正母線側スイッチング素子を上スイッチと、負母線側スイッチング素子を下スイッチとそれぞれ称する。）で形成されている。
【００１２】
Ｕ相アーム１０は、上スイッチ１２と、下スイッチ１３と、上スイッチ１２と逆並列に接続された上ダイオード１４と、下スイッチ１３と逆並列に接続された下ダイオード１５とで構成されている。
また、Ｖ相アーム１１は、上スイッチ１６と、下スイッチ１７と、上スイッチ１６と逆並列に接続された上ダイオード１８と、下スイッチ１７と逆並列に接続された下ダイオード１９とで構成されている。
【００１３】
Ｕ相アーム１０を構成する上スイッチ１２と下スイッチ１３とは、Ｕ相駆動回路２０から出力される駆動信号によりオン／オフ駆動されるようになっている。
また、Ｖ相アーム１１を構成する上スイッチ１６と下スイッチ１７とは、Ｖ相駆動回路２１から出力される駆動信号によりオン／オフ駆動されるようになっている。
Ｕ相駆動回路２０は、Ｕ相アーム１０の上スイッチ１２をオンさせている間は下スイッチ１３をオフにし、上スイッチ１２をオフさせている間は下スイッチ１３をオンにするというように、上スイッチ１２と下スイッチ１３とを交互にオン／オフする駆動信号を出力するものである。
また、Ｖ相駆動回路２１も同様に、Ｖ相アーム１１の上スイッチ１６と下スイッチ１７とを交互にオン／オフする駆動信号を出力するものである。
【００１４】
インバーター回路９における２つのアームの出力点間には、加熱コイル２２と共振コンデンサ２３とで構成されている負荷回路２４が接続されている。加熱コイル２２と共振コンデンサ２３とは、直列共振回路を形成し共振周波数を有するが、インバーター回路９は、その共振周波数よりも高い周波数で駆動されるので、負荷回路２４は誘導性特性を有するようになっている。
【００１５】
制御手段２５は、各インバーター回路９−１〜９−ｎの駆動制御を行うとともに、誘導加熱調理器全体を制御する機能を果たすものである。制御手段２５は、操作部１０４においてユーザが設定した火力指示に基づき、入力電流検出手段６と入力電圧検出手段７とからの検出値を使用して、Ｕ相駆動回路２０とＶ相駆動回路２１との両方から高周波駆動信号を出力させたフルブリッジ動作モードで加熱出力を制御するようになっている。
【００１６】
出力電流検出手段２８は、加熱コイル２２と共振コンデンサ２３とで構成される負荷回路２４に流れる電流（以下、出力電流と称する。）を検出するものである。
制御手段２５内に設けられた負荷判別手段２６は、出力電流検出手段２８により検出された出力電流と、入力電流検出手段６により検出された入力電流との相関に基づいて、加熱コイル２２の上方に被加熱物である鍋等が載置されているか否かの負荷判別をする。
なお、以下の説明において、鍋などの被加熱物が載置されていない状態を、無負荷または鍋なしと称する。
【００１７】
また、負荷判別手段２６は、出力電流検出手段２８により検出された出力電流と、入力電流検出手段６により検出された入力電流との相関に基づいて、加熱コイル２２の上方に不適正負荷が載置されているか否かの負荷判別をする。
なお、不適正負荷（不適正鍋）とは、誘導加熱に適さない負荷であり、例えば、アルミ鍋のような低効率の材質で誘導加熱できない低抵抗鍋や、加熱すべきでないフォークやスプーン等の小物をいう。また、適正負荷（適正鍋）とは、誘導加熱を行うのに適した負荷をいい、不適正負荷以外の被加熱物をいう。
【００１８】
なお、以下の説明において、負荷判別手段２６は、出力電流と入力電流とに基づいて負荷判別をする場合を説明するが本発明はこれに限るものではない。
例えば、入力電流に代えて、インバーター回路９の入力電力または出力電力を用い、この入力電力または出力電力と、出力電流とに基づいて負荷判別を行うようにしても良い。なお、出力電力を用いる場合には、インバーター回路９から負荷回路２４へ出力される電圧（実効値）を検出する出力電圧検出手段を別途設けて、この出力電圧と、出力電流検出手段２８により検出された出力電流とにより出力電力を検出することができる。
【００１９】
（電力制御動作）
次に、インバーター回路９のアーム相互間の位相差による加熱出力の制御動作について説明する。
図３、図４は、実施の形態１に係る誘導加熱調理器のインバーター回路の駆動信号と出力電圧波形の例を示す図である。
（ａ）は高出力状態における各スイッチの駆動信号と出力電圧波形の例である。
（ｂ）は中出力状態における各スイッチの駆動信号と出力電圧波形の例である。
（ｃ）は低出力状態における各スイッチの駆動信号と出力電圧波形の例である。
なお、図３、図４における先行アームとは、Ｕ相アーム１０またはＶ相アーム１１のうち、出力電位の変動が他方より先行するアームをいい、追従アームとは、Ｕ相アーム１０またはＶ相アーム１１のうち、出力電位の変動が他方に追従するアームをいう。
以下の説明では、Ｕ相アーム１０が先行アーム、Ｖ相アーム１１が追従アームの場合を例に説明する。
【００２０】
制御手段２５は、Ｕ相駆動回路２０およびＶ相駆動回路２１から出力される駆動信号を制御して、負荷回路２４の共振周波数よりも高い周波数でインバーター回路９を駆動する。その際、Ｕ相駆動回路２０から出力される上スイッチ１２および下スイッチ１３への駆動信号と、Ｖ相駆動回路２１から出力される上スイッチ１６および下スイッチ１７への駆動信号は同一周波数である。
（ａ）〜（ｃ）に示すように、先行アーム（Ｕ相駆動回路２０）からの駆動信号が追従アーム（Ｖ相駆動回路２１）からの駆動信号より位相が進んでおり、先行アームの出力電位と追従アームの出力電位とに位相差が生じている。そして、この位相差（以下、アーム間位相差とも称する。）により、インバーター回路９の出力電圧の印加時間が制御され、負荷回路２４に流れる出力電流の大きさを制御することができる。
（ａ）に示すように、高出力状態の場合には、アーム間位相差を大きくして、１周期における電圧印加時間幅を大きくする。また、（ｂ）に示すように、中出力状態の場合には、高出力状態と比較してアーム間位相差を小さくして、１周期における電圧印加時間幅を減少させる。そして、（ｃ）に示す低出力状態の場合には、さらにアーム間位相差を小さくして、１周期における電圧印加時間幅をさらに減少させる。
なお、アーム間位相差の上限は、逆相（位相差１８０°）の場合であり、このときの出力電圧波形はほぼ矩形波となる。また、アーム間位相差の下限は、例えば、ターンオン時に負荷回路２４に流れる電流の位相等との関係でスイッチング素子に過大電流が流れて破壊してしまわないレベルに設定する。
【００２１】
（負荷判別）
次に、負荷判別手段２６の負荷判別動作について説明する。
図５は、実施の形態１に係る誘導加熱調理器の加熱コイルと被加熱負荷（鍋）との位置関係の例を示す図である。
図６は、実施の形態１に係る誘導加熱調理器の加熱開始時における加熱可否判別条件の例を示す図である。
ここでは、図５に示すように、１つの加熱口１０６に対して、９つの加熱コイル２２が横方向に３つ、奥行き方向に３つ配置されている場合を例に説明する。
以下の説明において、加熱口１０６の中央部に配置した加熱コイル２２を、中心加熱コイル２２ａと称する。
また、中心加熱コイル２２ａの横方向と奥行き方向に配置した加熱コイル２２を、周辺加熱コイル２２ｂ−１〜２２ｂ−８と称する。なお、区別しないときは周辺加熱コイル２２ｂと称する。なお、周辺加熱コイル２２ｂの数はこれに限らず任意の数とすることができる。
また、以下の説明において、中心加熱コイル２２ａを駆動するインバーター回路９を、中心加熱コイル用インバーター回路９ａとも称し、周辺加熱コイル２２ｂ−１…ｎを駆動するインバーター回路９を、周辺加熱コイル（１…ｎ）用インバーター回路９ｂ−１…ｎとも称する。
【００２２】
制御手段２５は、加熱開始時に各加熱コイル２２へ所定の高周波電流（所定周波数）を供給させる。
そして、負荷判別手段２６は、出力電流検出手段２８により検出された出力電流と、入力電流検出手段６により検出された入力電流とを取得する。そして例えば図６のような情報を参照し、取得した出力電流および入力電流に基づいて、各加熱コイル２２の上方に鍋が載置されているか否か、載置された鍋が不適正負荷であるか否かを判別する。
例えば図６に示すように、出力電流が大きい場合には、アルミ鍋のような低効率の材質で加熱できない低抵抗鍋であると判断する。この場合、当該インバーター回路９の駆動は停止する。
また、出力電流が小さい場合には、無負荷状態、または、フォークやスプーン等の加熱すべきでない小物であると判断する。この場合、当該インバーター回路９の出力を、所定の電力に制限する。なお、この所定の電力は、上記設定電力に応じた電力以下の値であり、例えばインバーター回路９が出力可能な電力の下限値である。
なお、以下の説明において、この所定の電力を制限出力と称し、インバーター回路９の出力を、所定の電力に制限した状態を、出力制限状態と称する。
一方、入力電流および出力電流が所定の範囲に入った場合には、加熱に適した負荷である適正負荷と判断する。この場合、当該インバーター回路９の出力を、設定電力に応じた電力となるように制御する（フィードバック制御）。つまり、当該インバーター回路９の出力は、設定電力に応じて、下限値から上限値までの範囲で制御される。
【００２３】
図５に示す例において、加熱開始時に実線で示す位置に鍋２００（適正径）が載置された場合、負荷判別手段２６は、中心加熱コイル２２ａ、周辺加熱コイル２２ｂ−５、７、８の上方に適正負荷が載置されたと判別し、周辺加熱コイル２２ｂ−１〜４、６は鍋なしと判別する。
そして、制御手段２５は、上方に適正負荷が載置されている中心加熱コイル２２ａの中心加熱コイル用インバーター回路９ａと、周辺加熱コイル２２ｂ−５、７、８の周辺加熱コイル用インバーター回路９ｂ−５、７、８の出力を設定電力に応じて制御する。また、制御手段２５は、鍋なしと判別された周辺加熱コイル２２ｂ−１〜４、６の周辺加熱コイル用インバーター回路９ｂ−１〜４、６の出力を制限出力とする。
なお、加熱制御動作の詳細については後述する。
【００２４】
このように、加熱開始時に負荷判別をして、鍋が載置されている加熱コイル２２によって当該鍋に設定電力を投入する加熱動作を行う。また、鍋が載置されていない加熱コイル２２の出力を例えば下限値である制限出力とすることで、加熱効率の低下と漏洩磁束を抑制している。
【００２５】
なお、上記では例えば図６に示すような情報により、出力電流と入力電流との関係により負荷判別をして、加熱コイル２２へ出力する電力を設定する場合を説明したが、本発明はこれに限るものではない。例えば、入力電流と出力電流とから求まる負荷回路２４の抵抗値に応じて、インバーター回路９の出力を設定するようにしても良い。一例を図７により説明する。
【００２６】
図７は、実施の形態１に係る誘導加熱調理器の負荷状態とインバーター回路の駆動信号制御範囲を示す図である。
図７において、横軸はインバーター回路９の入力電流と出力電流とから求まる負荷回路２４の抵抗値を示し、縦軸はインバーター回路９の出力の大きさ（駆動信号レベル）を示している。
ここで、加熱コイル２２と鍋とが磁気結合している場合、加熱コイル２２に流れる出力電流により鍋に渦電流が流れ、鍋が発熱して電力が消費される。この鍋に流れる渦電流は、加熱コイル２２と鍋の磁気結合の程度と加熱コイル２２に流れる出力電流に依存（ほぼ比例）する。また、鍋で消費される電力は鍋に流れる渦電流により生じたものであり、おおよそ加熱コイル２２に流れる出力電流の自乗と負荷抵抗値を掛け合わせたものとなり、入力電力（入力電流）とほぼ比例したものである。このため、入力電流（電力と同義）と出力電流とから求まる抵抗値によって、負荷判別を行う。
例えば図７に示すように、抵抗値が大きく鍋に投入される電力が一定以上となる場合には適正負荷と判別して、インバーター回路９の出力を、設定電力に応じた電力となるように制御する（フィードバック制御）。つまり、当該インバーター回路９の出力は、設定電力に応じて、下限値から上限値までの範囲で制御される。
また、抵抗値が適正負荷より小さい所定の範囲の場合には、鍋なしまたはフォークなどの小物であると判別して、インバーター回路９の出力を、例えば下限値である制限出力とする。
また、抵抗値が制限出力の範囲よりもさらに小さい値の場合には、アルミなどの非磁性の鍋など、出力電流が過大になる不適正負荷であると判別し、インバーター回路９の駆動を停止する。
【００２７】
次に、上記のような加熱開始時の負荷判別をした後の加熱動作中において、鍋の位置が移動された場合について説明する。
【００２８】
図８は、実施の形態１に係る誘導加熱調理器の加熱動作中における負荷状態の判別条件を示す図である。
図９は、実施の形態１に係る誘導加熱調理器の駆動信号制限状態における被加熱負荷の検出条件の例を示す図である。
制御手段２５は、加熱動作中において、駆動中のインバーター回路９の出力電流検出手段２８により検出された出力電流と、入力電流検出手段６により検出された入力電流とを取得する。
そして、負荷判別手段２６は、例えば図８のような情報を参照し、設定電力に応じた電力を出力するよう制御（フィードバック制御）されている加熱コイルの上方に、鍋が載置されているか否か、載置された鍋が不適正負荷であるか否かを判別する。
また、負荷判別手段２６は、例えば図９のような情報を参照し、制限出力を出力している加熱コイルの上方に、鍋が載置されているか否か、載置された鍋が不適正負荷であるか否かを判別する。
【００２９】
例えば図５に示すように、加熱動作中に鍋２００が実線で示す位置から点線で示す位置に移動されると、フィードバック制御中の周辺加熱コイル２２ｂ−５、８は鍋ありの状態から鍋なしの状態に変化する。このとき、図８に示すように、設定電力に応じた電力を出力する周辺加熱コイル２２ｂ−５、８の出力電流と入力電流との値は、適正負荷の領域（鍋あり）から、無負荷の領域（鍋なし）に移行する。このため、負荷判別手段２６は、周辺加熱コイル２２ｂ−５、８が鍋なしの状態であると判別する。制御手段２５は、鍋なしとなった周辺加熱コイル２２ｂ−５、８の周辺加熱コイル用インバーター回路９ｂ−５、８の出力を制限出力とする。
【００３０】
一方、周辺加熱コイル２２ｂ−４、６は鍋なしの状態から鍋ありの状態に変化する。このとき、図９に示すように、制限出力に設定された周辺加熱コイル２２ｂ−４、６の出力電流と入力電流との値は、出力制限状態の領域（鍋なし）から、フィードバック制御の領域（鍋あり）に移行する。このため、負荷判別手段２６は、周辺加熱コイル２２ｂ−４、６が鍋ありの状態であると判別する。制御手段２５は、鍋ありとなった周辺加熱コイル２２ｂ−４、６の周辺加熱コイル用インバーター回路９ｂ−４、６の出力を、設定電力に応じた電力となるように制御する（フィードバック制御に復帰）。
なお、加熱動作中の負荷判別においても、上述した図７のように、入力電流と出力電流とから求まる負荷回路２４の抵抗値に応じて、インバーター回路９の出力を設定するようにしても良い。
【００３１】
このように、加熱動作中に、鍋の載置位置がずらされて、設定電力を出力する加熱コイル２２の上方に鍋がなくなった場合には、その加熱コイル２２の出力を制限（例えば下限値）として、加熱効率の低下を抑制するとともに、漏洩磁束を低減させる。
また、出力を制限した加熱コイル２２の上方に鍋が移動した場合には、その加熱コイル２２に設定電力に応じた電力を出力させることで、鍋の加熱むらを軽減することが可能となる。
【００３２】
このような加熱動作中に被加熱物を移動させた場合に、加熱効率の低下や漏洩磁束の増大を抑制し、加熱むらの発生を軽減する、本実施の形態における動作について、次に説明する。
【００３３】
（動作）
図１０は、実施の形態１に係る誘導加熱調理器の制御手段における加熱制御処理を示すフローチャートである。
図１０に基づいて、この加熱制御処理の流れを説明する。
まず、制御手段２５は操作部１０４から加熱電力が設定されるなどの加熱開始要求が入力されたかどうかを判断する（Ｓ１０１）。
加熱開始要求があった場合には、初期負荷判別処理を開始する（Ｓ２００）。
この初期負荷判別処理の詳細について図１１により説明する。
【００３４】
図１１は、実施の形態１に係る誘導加熱調理器の制御手段における初期負荷判別処理を示すフローチャートである。
制御手段２５は、中心加熱コイル用インバーター回路９ａを所定出力（所定周波数・所定アーム間位相差）で駆動させる（Ｓ２０１）。
制御手段２５は、駆動させた当該インバーター回路９の、出力電流検出手段２８により検出された出力電流と入力電流検出手段６により検出された入力電流とを取得する（Ｓ２０２）。
制御手段２５は、一定時間経過したあと、中心加熱コイル用インバーター回路９ａの出力を停止させる（Ｓ２０３）。
負荷判別手段２６は、上述したように、取得された出力電流および入力電流と、加熱可否判別条件（例えば図６）とに基づいて、中心加熱コイル２２ａの上方に鍋が載置されているか否か、載置された鍋が適正負荷または不適正負荷の何れであるかを判別する。そして、負荷判別結果を設定（保持）する（Ｓ２０４）。
【００３５】
中心加熱コイル２２ａの上方に適正負荷がないと判別された場合には、初期負荷判別処理を終了する。一方、中心加熱コイル２２ａの上方に適正負荷がありと判別された場合には、周辺加熱コイル２２ｂ−１の負荷判別処理に進む（Ｓ２０５）。
【００３６】
周辺加熱コイル２２ｂ−１の初期負荷判別処理（Ｓ２０６−１）においては次の処理を行う。
（１）制御手段２５は、周辺加熱コイル１用インバーター回路９ｂ−１を所定出力（所定周波数・所定アーム間位相差）で駆動させる。
（２）制御手段２５は、駆動させた当該インバーター回路９の、出力電流検出手段２８により検出された出力電流と入力電流検出手段６により検出された入力電流とを取得する。
（３）制御手段２５は、一定時間経過したあと、周辺加熱コイル１用インバーター回路９ｂ−１の出力を停止させる。
（４）負荷判別手段２６は、上述したように、取得された出力電流および入力電流と、加熱可否判別条件（例えば図６）とに基づいて、周辺加熱コイル２２ｂ−１の上方に鍋が載置されているか否か、載置された鍋が適正負荷または不適正負荷の何れであるかを判別する。そして、負荷判別結果を設定（保持）する。
【００３７】
以降同様に、周辺加熱コイル２２ｂ−２、３、…８の初期負荷判別処理（Ｓ２０６−２、３…８）においても上記（１）〜（４）の処理を行う。
なお、本実施の形態では、周辺加熱コイル２２ｂが８つの場合を説明するが、本発明はこれに限るものではない。また、上記の初期負荷判別処理は周辺加熱コイル２２ｂの数に応じて適宜実施する。
【００３８】
再び図１０において、制御手段２５は、中心加熱コイル２２ａの上方に適正負荷がありと判別されたか否かを判断する（Ｓ１０２）。中心加熱コイル２２ａの上方に適正負荷がない場合は、上記ステップＳ１０１に戻り上記動作を繰り返す。
【００３９】
一方、中心加熱コイル２２ａの上方に適正負荷がある場合には、制御手段２５は、上記ステップＳ２００で、中心加熱コイル用インバーター回路９ａと、上方に不適正負荷が載置されていると判別された周辺加熱コイル２２ｂ以外の周辺加熱コイル用インバーター回路９ｂの駆動を開始し、当該出力を制限出力（下限値）に設定する（Ｓ１０３）。
つまり、複数の周辺加熱コイル２２ｂのうち、鍋なし（無負荷）状態の周辺加熱コイル２２ｂと、上方に適正負荷が載置されている周辺加熱コイル２２ｂとが、制限出力で駆動される。
なお、２以上のインバーター回路９を駆動させる場合、当該インバーター回路９の駆動周波数をそれぞれ同一周波数で駆動させる。
【００４０】
次に、制御手段２５は、駆動させた各インバーター回路９の、出力電流検出手段２８により検出された出力電流と入力電流検出手段６により検出された入力電流とを取得する（Ｓ１０４）。
負荷判別手段２６は、中心加熱コイル２２ａの出力電流および入力電流と、加熱可否判別条件（例えば図８）とに基づいて、中心加熱コイル２２ａの上方に適正負荷が載置されているか否かを判別する（Ｓ１０５）。
中心加熱コイル２２ａの上方に適正負荷が載置されていない場合、ステップＳ１１２に進み、制御手段２５は、全てのインバーター回路９の駆動を停止させた後、ステップＳ１０１に戻る。
【００４１】
一方、中心加熱コイル２２ａの上方に適正負荷が載置されている場合、制御手段２５は、操作部１０４で使用者により設定された設定電力（火力）と、入力電流検出手段６および入力電圧検出手段７の検出値から求めた入力電力とを比較する（Ｓ１０６）。
【００４２】
設定電力より入力電力が小さい場合には（ステップＳ１０６；＞）、中心加熱コイル用インバーター回路９ａのアーム間位相差が上限（１８０度（半周期））未満であるか判断する（Ｓ１０７）。
アーム間位相差が上限値に到達していた場合は、周辺加熱コイル２２ｂの出力制御処理に進む。
一方、アーム間位相差が上限未満であれば、制御手段２５は、中心加熱コイル用インバーター回路９ａのアーム間位相差を増大させ（Ｓ１０８）、周辺加熱コイル２２ｂの出力制御処理に進む。
【００４３】
設定電力より入力電力の方が大きい場合には（ステップＳ１０６；＜）、中心加熱コイル用インバーター回路９ａのアーム間位相差が下限値より大きいかどうか判断する（Ｓ１０９）。このアーム間位相差の下限値は、例えば、ターンオン時に負荷回路２４に流れる電流の位相等との関係でスイッチング素子に過大電流が流れて破壊してしまわないレベルに設定するものとする。
アーム間位相差が下限値に到達していた場合は、周辺加熱コイル２２ｂの出力制御処理に進む。
一方、アーム間位相差が下限値より大きい場合には、制御手段２５は、中心加熱コイル用インバーター回路９ａのアーム間位相差を縮小させ（Ｓ１１０）、周辺加熱コイル２２ｂの出力制御処理に進む。
【００４４】
設定電力と入力電力とが略同一の場合（ステップＳ１０６；≒）、周辺加熱コイル２２ｂの出力制御処理に進む。
【００４５】
制御手段２５は、周辺加熱コイル２２ｂ−１、２、…８の出力制御処理を行う（Ｓ３００−１〜８）。この制御の詳細について図１２により説明する。
なお、各周辺加熱コイル２２ｂの出力制御処理は同一であり、図１２の説明においては、出力制御処理を行う周辺加熱コイル２２ｂを周辺加熱コイルｎと称し、この周辺加熱コイルｎを駆動するインバーター回路９を、周辺加熱コイルｎ用インバーター回路９ｂ−ｎと称する。
【００４６】
図１２は、実施の形態１に係る誘導加熱調理器の制御手段における周辺加熱コイルｎ用インバーター回路の出力制御処理を示すフローチャートである。
制御手段２５は、周辺加熱コイルｎ用インバーター回路９ｂ−ｎの出力状態が、駆動を停止している状態（以下、出力停止状態と称する。）、設定電力に応じた電力とする制御状態（以下、通常出力状態と称する。）、または、出力制限状態、の何れの状態であるかを判断する（Ｓ３０１）。
ステップＳ３０１で出力停止状態の場合には、当該周辺加熱コイルｎの出力処理を終了する。
【００４７】
ステップＳ３０１で通常出力状態の場合、制御手段２５は、当該周辺加熱コイルｎ用インバーター回路９ｂ−ｎの、出力電流検出手段２８により検出された出力電流と入力電流検出手段６により検出された入力電流とを取得する。そして、負荷判別手段２６は、上述したように、取得された出力電流および入力電流と、加熱可否判別条件（例えば図８）とに基づいて、当該周辺加熱コイルｎの上方に鍋が載置されているか否か、載置された鍋が適正負荷または不適正負荷の何れであるかを判別する（Ｓ３０２）。
【００４８】
不適正鍋の場合には（ステップＳ３０２；不適正負荷あり）、当該周辺加熱コイルｎ用インバーター回路９ｂ−ｎの駆動を停止させ（Ｓ３０３）、当該周辺加熱コイルｎの出力処理を終了する。
鍋が載置されていない場合には（ステップＳ３０２；負荷なし）、当該周辺加熱コイルｎ用インバーター回路９ｂ−ｎの駆動を出力制限状態に設定した後（Ｓ３０４）、当該周辺加熱コイルｎの出力処理を終了する。これにより、鍋が移動される等して、上方に鍋がなくなった場合には当該周辺加熱コイルｎへの出力を所定の電力に制限して、加熱効率の低下や漏洩磁束の増大を抑制することができる。
【００４９】
適正負荷の場合には（ステップＳ３０２；適正負荷あり）、制御手段２５は、中心加熱コイル２２ａの出力電流と周辺加熱コイルｎの出力電流とを比較する（Ｓ３０５）。
【００５０】
中心加熱コイル２２ａの出力電流より周辺加熱コイルｎの出力電流が小さい場合には（ステップＳ３０５；＞）、周辺加熱コイルｎ用インバーター回路９ｂ−ｎのアーム間位相差が上限（１８０度（半周期））未満であるか判断する（Ｓ３０６）。
アーム間位相差が上限値に到達していた場合は、当該周辺加熱コイルｎの出力処理を終了する。
一方、アーム間位相差が上限未満であれば、制御手段２５は、周辺加熱コイルｎ用インバーター回路９ｂ−ｎのアーム間位相差を増大させ（Ｓ３０７）、当該周辺加熱コイルｎの出力処理を終了する。
【００５１】
中心加熱コイル２２ａの出力電流より周辺加熱コイルｎの出力電流の方が大きい場合には（ステップＳ３０５；＜）、周辺加熱コイルｎ用インバーター回路９ｂ−ｎのアーム間位相差が下限値より大きいかどうか判断する（Ｓ３０８）。このアーム間位相差の下限値は、例えば、ターンオン時に負荷回路２４に流れる電流の位相等との関係でスイッチング素子に過大電流が流れて破壊してしまわないレベルに設定するものとする。
アーム間位相差が下限値に到達していた場合は、当該周辺加熱コイルｎの出力処理を終了する。
一方、アーム間位相差が下限値より大きい場合には、制御手段２５は、周辺加熱コイルｎ用インバーター回路９ｂ−ｎのアーム間位相差を縮小させ（Ｓ３０９）、当該周辺加熱コイルｎの出力処理を終了する。
【００５２】
中心加熱コイル２２ａの出力電流と周辺加熱コイルｎの出力電流とが略同一の場合（ステップＳ３０５；≒）、当該周辺加熱コイルｎの出力処理を終了する。
【００５３】
上記ステップＳ３０１で出力制限状態の場合、制御手段２５は、当該周辺加熱コイルｎ用インバーター回路９ｂ−ｎの、出力電流検出手段２８により検出された出力電流と入力電流検出手段６により検出された入力電流とを取得する。そして、負荷判別手段２６は、上述したように、取得された出力電流および入力電流と、加熱可否判別条件（例えば図９）とに基づいて、当該周辺加熱コイルｎの上方に鍋が載置されているか否か、載置された鍋が適正負荷または不適正負荷の何れであるかを判別する（Ｓ３１０）。
【００５４】
不適正鍋の場合には（ステップＳ３１０；不適正負荷あり）、当該周辺加熱コイルｎ用インバーター回路９ｂ−ｎの駆動を停止させ（Ｓ３１１）、当該周辺加熱コイルｎの出力処理を終了する。
鍋が載置されていない場合には（ステップＳ３１０；負荷なし）、当該周辺加熱コイルｎの出力処理を終了する。
適正負荷の場合には（ステップＳ３１０；適正負荷あり）、当該周辺加熱コイルｎ用インバーター回路９ｂ−ｎの駆動を通常出力状態に設定した後、当該周辺加熱コイルｎの出力処理を終了する。これにより、鍋が移動される等して、上方に鍋が載置されるようになった場合には、当該周辺加熱コイルｎへの出力を設定電力に応じた出力として、加熱むらの発生を軽減することができる。
【００５５】
再び図１０において、全ての周辺加熱コイルの出力制御処理が終了した後、制御手段２５は、操作部１０４によりユーザが設定する加熱停止要求の操作がされているか否かを判断する（Ｓ１１１）。
加熱停止要求がない場合には、ステップＳ１０４へ戻り上記操作を繰り返す。
一方、加熱停止要求がある場合には、ステップＳ１１２に進み、制御手段２５は、全てのインバーター回路９の駆動を停止させ、ステップＳ１０１に戻る。
【００５６】
なお、上記の動作では、中心加熱コイル２２ａの上方に適正負荷がない場合には加熱制御処理を停止させる動作を説明したが本発明はこれに限るものではなく、中心加熱コイル２２ａと周辺加熱コイルｎとを区別せず、任意の加熱コイル２２の動作状態と負荷判別結果に応じて、鍋が載置されなくなった加熱コイル２２を出力制限状態とし、載置されるようになった加熱コイル２２を通常出力状態とするようにしても良い。
なお、上記の動作では、載置された鍋が適正負荷であるか不適正負荷であるかを判別し、不適正負荷が載置されている加熱コイル２２を出力停止状態としたが、本発明はこれに限るものではない。例えば、負荷判別手段２６は鍋が載置されているか否かの判別のみを行い、通常出力状態と出力制限状態の設定のみを行うようにしても良い。
【００５７】
なお、上記の動作では、インバーター回路９のアーム相互間の位相差により加熱出力を制御する場合を説明したが、本発明はこれに限るものではない。例えば、インバーター回路９の出力電圧の通電比率を可変することで、加熱出力を制御しても良い。
【００５８】
（効果）
以上のように本実施の形態においては、被加熱物に設定電力を投入する加熱動作中において、負荷判別手段２６の判別結果に基づき、上方に被加熱物が載置された加熱コイル２２へ設定電力に応じた電力を出力し、この加熱コイル２２の上方に、被加熱物が載置されなくなった場合、所定の電力（制限出力）を出力する。
このため、上方に被加熱物（負荷）が載置されていない加熱コイル２２への高周波出力を制限して、この加熱コイル２２に流れる高周波電流を抑制することができる。
よって、当該加熱コイル２２から漏洩する高周波磁界を小さくすることができる。また、当該加熱コイル２２および当該加熱コイル２２に高周波電力を供給するインバーター回路９等における損失を抑制することができる。
したがって、加熱効率の低下や漏洩磁束の増大を抑制することができる。
【００５９】
また本実施の形態においては、被加熱物に設定電力を投入する加熱動作中において、負荷判別手段２６の判別結果に基づき、上方に被加熱物が載置されていない加熱コイル２２へ所定の電力（制限出力）を出力し、この加熱コイル２２の上方に、被加熱物が載置された場合、当該加熱コイル２２へ設定電力に応じた電力を出力する。
このため、被加熱物が載置されていない加熱コイル２２の上方に、被加熱物（負荷）が移動された場合には、この加熱コイル２２により設定電力に応じた出力で加熱を行うことができる。
よって、被加熱物が載置されている位置がずらされた場合、加熱むらの発生を軽減することができる。
【００６０】
また、負荷判別手段２６は、出力制限状態で動作中のインバーター回路９の出力電流と入力電流（入力電力または出力電力）により負荷判別を行うため、出力制限状態の加熱コイル２２の上方に被加熱物が載置されたことを即時に判別することが可能となる。
【００６１】
また本実施の形態においては、負荷判別手段２６の判別結果に基づき、上方に不適正負荷が載置されている加熱コイル２２のインバーター回路９の駆動を停止させる。
このため、誘導加熱に適さない被加熱物が載置された場合に、インバーター回路９や負荷回路２４等に過大な電流が流れることを防止することができる。
【００６２】
また本実施の形態においては、出力制限状態における所定の電力は、例えばインバーター回路９が出力可能な電力の下限値に設定する。
このため、上方に被加熱物（負荷）が載置されていない加熱コイル２２に流れる高周波電流による損失と、この加熱コイル２２からの漏洩磁束とを極力小さくすることができる。
【００６３】
実施の形態２．
本実施の形態２では、インバーター回路９をハーフブリッジで構成した形態について説明する。
【００６４】
図１３は、実施の形態２に係る誘導加熱調理器の回路構成を示す図である。
以下、上記実施の形態１との相違点を中心に説明する。なお、図１３において、上記実施の形態１（図２）と同様の構成には同一の符号を付する。
【００６５】
本実施の形態２における各インバーター回路９’は、ハーフブリッジ構成であり、高電位側のスイッチング素子（上スイッチ１２’）と低電位側のスイッチング素子（下スイッチ１３’）と、上スイッチ１２’に逆並列に接続された上ダイオード１４’と、下スイッチ１３’に逆並列に接続された下ダイオード１５’とで構成されている。
各インバーター回路９’における出力点間には、負荷回路２４’が接続されている。負荷回路２４’は、加熱コイル２２と、共振コンデンサ２３と、この共振コンデンサ２３と並列に接続されたクランプダイオード２７とで構成されている。
クランプダイオード２７は、加熱コイル２２と共振コンデンサ２３の接続点電位を直流電源の低電位側母線電位にクランプする。このクランプダイオード２７の働きにより、下スイッチ１３’が導通した状態では加熱コイル２２に流れる電流は転流しない。
【００６６】
上スイッチ１２’と下スイッチ１３’は、駆動回路２０’から出力される駆動信号によりオン／オフ駆動されるようになっている。
本実施の形態の制御手段２５は、高電位側のスイッチング素子（上スイッチ１２’）と低電位側のスイッチング素子（下スイッチ１３’）とを交互にオン・オフすることにより、その接続点と直流母線の一端との間に高周波電圧を発生し、負荷回路２４’に供給する。
【００６７】
図１４は、実施の形態２に係る誘導加熱調理器のインバーター回路の駆動信号例を示す図である。
（ａ）は高出力状態における各スイッチの駆動信号と出力電圧波形の例である。
（ｂ）は中出力状態における各スイッチの駆動信号と出力電圧波形の例である。
（ｃ）は低出力状態における各スイッチの駆動信号と出力電圧波形の例である。
制御手段２５は、駆動回路２０’から出力される駆動信号を制御して、負荷回路２４’の共振周波数よりも高い周波数でインバーター回路９’を駆動する。
（ａ）〜（ｃ）に示すように、本実施の形態の制御手段２５は、高電位側のスイッチング素子（上スイッチ１２’）および低電位側のスイッチング素子（下スイッチ１３’）の通電比率を制御することによって、インバーター回路９’の出力電圧の印加時間が制御され、負荷回路２４’に流れる出力電流の大きさを制御することができる。
（ａ）に示すように、高出力状態の場合には、上スイッチ１２’の通電比率（オンデューティー比）を大きくして、１周期における電圧印加時間幅を大きくする。また、（ｂ）に示すように、中出力状態の場合には、高出力状態と比較して上スイッチ１２’の通電比率（オンデューティー比）を小さくして、１周期における電圧印加時間幅を減少させる。そして、（ｃ）に示す低出力状態の場合には、さらに上スイッチ１２’の通電比率（オンデューティー比）を小さくして、１周期における電圧印加時間幅をさらに減少させる。
【００６８】
図１５は、実施の形態２に係る誘導加熱調理器の制御手段における加熱制御処理を示すフローチャートである。
図１６は、実施の形態２に係る誘導加熱調理器の制御手段における周辺加熱コイルｎ用インバーター回路の出力制御処理を示すフローチャートである。
図１５、図１６に基づいて、上記実施の形態１（図１０、図１２）との相違点について説明する。
なお、上記実施の形態１と同様の動作には同一のステップ番号を付する。また、初期負荷判別処理の動作は、上記実施の形態１（図１１）と同様である。
なお、以下の説明において、中心加熱コイル２２ａを駆動するインバーター回路９’を、中心加熱コイル用インバーター回路９’ａと称し、周辺加熱コイル２２ｂ−１…ｎを駆動するインバーター回路９’を、周辺加熱コイル（１…ｎ）用インバーター回路９’ｂ−１…ｎと称する。
【００６９】
まず、図１５の加熱制御処理について上記実施の形態１との相違点を説明する。
ステップＳ１０６において、設定電力より入力電力が小さい場合には（ステップＳ１０６；＞）、中心加熱コイル用インバーター回路９’ａの上スイッチ１２’の通電比率が上限未満であるか判断する（Ｓ４０１）。
上スイッチ１２’の通電比率が上限値に到達していた場合は、周辺加熱コイル２２ｂの出力制御処理に進む。
一方、上スイッチ１２’の通電比率が上限未満であれば、制御手段２５は、中心加熱コイル用インバーター回路９’ａの上スイッチ１２’の通電比率を増大させ（Ｓ４０２）、周辺加熱コイル２２ｂの出力制御処理に進む。
【００７０】
ステップＳ１０６において、設定電力より入力電力の方が大きい場合には（ステップＳ１０６；＜）、中心加熱コイル用インバーター回路９’ａの上スイッチ１２’の通電比率が下限値より大きいかどうか判断する（Ｓ４０３）。
上スイッチ１２’の通電比率が下限値に到達していた場合は、周辺加熱コイル２２ｂの出力制御処理に進む。
一方、上スイッチ１２’の通電比率が下限値より大きい場合には、制御手段２５は、中心加熱コイル用インバーター回路９’ａの上スイッチ１２’の通電比率を縮小させ（Ｓ４０４）、周辺加熱コイル２２ｂの出力制御処理に進む。
【００７１】
ステップＳ１０６において、設定電力と入力電力とが略同一の場合（ステップＳ１０６；≒）、周辺加熱コイル２２ｂの出力制御処理に進む。
【００７２】
次に、図１６の出力制御処理について上記実施の形態１との相違点を説明する。
ステップＳ３０５において、中心加熱コイル２２ａの出力電流より周辺加熱コイルｎの出力電流が小さい場合には（ステップＳ３０５；＞）、周辺加熱コイルｎ用インバーター回路９’ｂ−ｎの上スイッチ１２’の通電比率が上限未満であるか判断する（Ｓ５０１）。
上スイッチ１２’の通電比率が上限値に到達していた場合は、当該周辺加熱コイルｎの出力処理を終了する。
一方、上スイッチ１２’の通電比率が上限未満であれば、制御手段２５は、周辺加熱コイルｎ用インバーター回路９’ｂ−ｎの上スイッチ１２’の通電比率を増大させ（Ｓ５０２）、当該周辺加熱コイルｎの出力処理を終了する。
【００７３】
ステップＳ３０５において、中心加熱コイル２２ａの出力電流より周辺加熱コイルｎの出力電流の方が大きい場合には（ステップＳ３０５；＜）、周辺加熱コイルｎ用インバーター回路９’ｂ−ｎの上スイッチ１２’の通電比率が下限値より大きいかどうか判断する（Ｓ５０３）。
上スイッチ１２’の通電比率が下限値に到達していた場合は、当該周辺加熱コイルｎの出力処理を終了する。
一方、上スイッチ１２’の通電比率が下限値より大きい場合には、制御手段２５は、周辺加熱コイルｎ用インバーター回路９’ｂ−ｎの上スイッチ１２’の通電比率を縮小させ（Ｓ５０４）、当該周辺加熱コイルｎの出力処理を終了する。
【００７４】
ステップＳ３０５において、中心加熱コイル２２ａの出力電流と周辺加熱コイルｎの出力電流とが略同一の場合（ステップＳ３０５；≒）、当該周辺加熱コイルｎの出力処理を終了する。
【００７５】
（効果）
以上のように本実施の形態においては、インバーター回路９’をハーフブリッジで構成した。このような構成においても、上記実施の形態１と同様の効果を奏することができる。
【００７６】
なお、実施の形態２におけるハーフブリッジ構成のインバーター回路９’と、実施の形態１におけるフルブリッジ構成のインバーター回路９とが混在する回路構成としても良い。
【００７７】
なお、上記実施の形態１、２では、複数の加熱コイル２２は、天板１０１に設けられた加熱口１０６の中央部に配置した中心加熱コイル２２ａと、その横方向と奥行き方向にそれぞれ複数配置した周辺加熱コイル２２ｂとから構成した場合を説明したが、本発明はこれに限るものではない。
例えば、図１７に示すように、複数の加熱コイル２２は、天板１０１に設けられた加熱口１０６の中央部に配置した中心加熱コイル２２ａと、その周囲の周方向に複数配置した周辺加熱コイル２２ｂとから構成しても良い。
このような構成においても、上記実施の形態１と同様の効果を奏することができる。
【００７８】
また例えば、図１８に示すように、複数の加熱コイル２２は、天板１０１に設けられた加熱口１０６の中央部に配置した内側加熱コイル２２ａ’と、その周囲を取り囲むように巻回した外側加熱コイル２２ｂ’とから構成しても良い。なお、この場合には上述した動作説明における中心加熱コイル２２ａが、内側加熱コイル２２ａ’に相当し、周辺加熱コイル２２ｂが外側加熱コイル２２ｂ’に相当する。
このような構成においても、上記実施の形態１と同様の効果を奏することができる。
【符号の説明】
【００７９】
１  交流電源、２  直流電源回路、３  整流ダイオードブリッジ、４  リアクトル、５  平滑コンデンサ、６  入力電流検出手段、７  入力電圧検出手段、９  インバーター回路、１０  Ｕ相アーム、１１  Ｖ相アーム、１２  上スイッチ、１３  下スイッチ、１４  上ダイオード、１５  下ダイオード、１６  上スイッチ、１７  下スイッチ、１８  上ダイオード、１９  下ダイオード、２０  Ｕ相駆動回路、２１  Ｖ相駆動回路、２２  加熱コイル、２３  共振コンデンサ、２４  負荷回路、２５  制御手段、２６  負荷判別手段、２７  クランプダイオード、２８  出力電流検出手段、１０１  天板、１０２  本体筐体、１０３  回路、１０４  操作部、１０５  表示手段、１０６  加熱口、２００  鍋。
【図１】
2012111244.tif 000003
【図２】
2012111244.tif 000004
【図３】
2012111244.tif 000005
【図４】
2012111244.tif 000006
【図５】
2012111244.tif 000007
【図６】
2012111244.tif 000008
【図７】
2012111244.tif 000009
【図８】
2012111244.tif 000010
【図９】
2012111244.tif 000011
【図１０】
2012111244.tif 000012
【図１１】
2012111244.tif 000013
【図１２】
2012111244.tif 000014
【図１３】
2012111244.tif 000015
【図１４】
2012111244.tif 000016
【図１５】
2012111244.tif 000017
【図１６】
2012111244.tif 000018
【図１７】
2012111244.tif 000019
【図１８】
2012111244.tif 000020
【国際調査報告】
2012111244.tif 000021
2012111244.tif 000022
2012111244.tif 000023
2012111244.tif 000024